(57)【特許請求の範囲】
【請求項１】
垂直に起立する剛性材からなる帯状垂直板と、該帯状垂直板の下端から水平方向の片側に延びる剛性材からなる水平な帯状平板基板と、前記帯状垂直板の下端から帯状平板基板の長手方向に向けて形成したドリル通過孔と、前記帯状垂直板の中央上部から該帯状平板基板に対し平行で対向する二本のアーム部と、該アーム部に挟持され、歯科用ハンドピースのドリルが垂直下方に案内されて垂下する孔を穿設したドリルガイドと、基部を前記水平な帯状平板基板上に固定するとともに先端部はドリル通過孔に向かって彎曲状に立ち上がる剛性板材からなる指の防護板を備えたことを特徴とする歯科用ダウエルピン穿孔用の簡易ドリルホルダー。
【請求項２】
対向する二本のアーム部の両側には、断面コ字型形状の両裾部が回動自在に枢着され、該断面コ字型形状の天頂部の中央部位には前記ドリルが通過する開口部を形成するとともに、回動自在に枢着された断面コ字型形状の天頂部が起立状態において歯科用ハンドピースのドリルにて穿設する孔の深さを一定にする位置決め具であり、該孔の深さを一定にする位置決め具の不使用時には該孔の深さを一定にする位置決め具を起立状態から横方向に倒して位置決め具の先端の下部を指の防護板の表面で支持することを特徴とする請求項１記載の歯科用ダウエルピン穿孔用の簡易ドリルホルダー。
【発明の詳細な説明】
【技術分野】
【０００１】
本発明は歯科技工士、歯科医が歯科用ハンドピースにドリルを装着して義歯石膏模型等の該当する裏面にダウエルピンを植立するために、予め試験的にテストピースに所定深さの穿孔を容易に形成できる歯科用ダウエルピンを植立するための穿孔が簡易かつ容易にできるドリルホルダーに関する。
【背景技術】
【０００２】
従来のダウエルピンを使用して義歯石膏模型の該当する義歯該当部位裏面に植立穴を形成することは高価なダウエルピン穿孔機(商品名：ホローネＳ等)を使用しない限り、義歯石膏模型の該当する位置に正しくダウエルピンを植立するための穿孔は高度の技術を要し困難であった。
【０００３】
また、図９に示すように、歯科用ハンドピースＡにドリルＢを装着して義歯石膏模型Ｃの該当する裏面に歯科用ダウエルピンＥを植立する場合、垂直方向に孔あけをする作業及び所定の深さの孔を形成することが困難であり、斜めに歯科用ダウエルピンＥを植立することにより、顎骨等に過度の負担をかけることになる。
【先行技術文献】
【非特許文献】
【０００４】
【非特許文献１】インターネット検索「ダウエルピン植立穿孔機：ＨＳ−3000ホローネＳ」参照
【特許文献】
【０００５】
【特許文献１】特開２００７−２５３３１５
【発明の概要】
【発明が解決しようとする課題】
【０００６】
上記非特許文献１においては、ダウエルピン穿孔機(商品名：ホローネＳ)は該穿孔機のテーブルに穿設した孔を通して下からドリルが上昇して義歯石膏模型の該当する義歯該当部位裏面に植立用孔を穿設するために、テーブルの周辺の孔や穿孔機の隙間に石膏粉末が飛散して粉末詰まり等により故障の原因となっていた。また、上記ダウエルピン穿孔機は、立体的な空間スペースをとるために、狭い作業空間において場所を占有するなどの不都合な点も有していた。
【０００７】
また、特許文献１の発明においては、歯科技工士が歯科用ハンドピースにドリルを装着した後は、該ハンドピースは３６０度上下左右のどの方向にも手で持って自由に操作できるために、ハンドピースのドリル操作に熟練していない場合は、斜めに穿孔が形成されたり、深さも深すぎたり、浅過ぎたりして、ダウエルピン植立用の孔を正確に形成することが困難であった。
【０００８】
本発明は上記の点に鑑み、歯科技工士、歯科医がモーター駆動の歯科用ハンドピースを利用して熟練を要することなく、該歯科用ハンドピースの先端部にドリルを装着してテストピースや石膏模型の該当する裏面に歯科用ダウエルピンを植立するための穿設孔を簡単かつ容易に所望する深さで確実に穿設できる歯科用ダウエルピン穿孔用の簡易ドリルホルダーを提供することにある。
【課題を解決するための手段】
【０００９】
請求項１に係る発明は、垂直に起立する剛性材からなる帯状垂直板と、該帯状垂直板の下端から水平方向の片側に延びる剛性材からなる水平な帯状平板基板と、前記帯状垂直板の下端から帯状平板基板の長手方向に向けて形成したドリル通過孔と、前記帯状垂直板の中央上部から該帯状平板基板に対し平行で対向する二本のアーム部と、該アーム部に挟持され、歯科用ハンドピースのドリルが垂直下方に案内されて垂下する孔を穿設したドリルガイドと、基部を前記水平な帯状平板基板上に固定するとともに先端部はドリル通過孔に向かって彎曲状に立ち上がる剛性板材からなる指の防護板を備えたことを特徴とする歯科用ダウエルピン穿孔用の簡易ドリルホルダーである。
【００１０】
請求項２に係る発明は、前記請求項１における対向する二本のアーム部の両側には、断面コ字型形状の両裾部が回動自在に枢着され、該断面コ字型形状の天頂部の中央部位には前記ドリルが通過する開口部を形成するとともに、回動自在に枢着された断面コ字型形状の天頂部が起立状態において歯科用ハンドピースのドリルにて穿設する孔の深さを一定にする位置決め具であり、該孔の深さを一定にする位置決め具の不使用時には該孔の深さを一定にする位置決め具を起立状態から横方向に倒して位置決め具の先端の下部を指の防護板の表面で支持することを特徴とする請求項１記載の歯科用ダウエルピン穿孔用の簡易ドリルホルダーである。
【発明の効果】
【００１１】
本発明に係る歯科用ダウエルピン穿孔用の簡易ドリルホルダーは全体が手のひらに乗る程度の大きさで、その重量も例えば５０グラム未満というコンパクトで軽量化されているので、作業スペースをとらずに済み、歯科技工士や歯科医が予め石膏で作られたテストピースでダウエルピンの植立深さを決定する時に、色々と深さを変えながら最適の深さを植立状態で確実に決めることができる。その結果、患者の義歯石膏模型の裏面の平坦面に、本発明に係る歯科用ダウエルピン穿孔用の簡易ドリルホルダーの帯状平板基板を当椄した状態で歯科用ハンドピースに装着したドリルを用いて義歯石膏模型の裏面の所定位置にダウエルピン植立用の孔の深さ及び垂直方向に正確かつ確実に穿設することができる。
【００１２】
さらに、本発明に係る歯科用ダウエルピン穿孔用の簡易ドリルホルダーは、歯科用ハンドピースを例えば右手に持って石膏で作られたテストピース等に歯科用ダウエルピン用の孔を穿設する時に、前記簡易ドリルホルダーを左指で固定する時にその左指は彎曲状に立ち上がる剛性材からなる防護板で保護されるために、安心して穿設作業を行うことができ、前記簡易ドリルホルダー自体に切削粉による目詰まりも発生しないし、従来製品に比べ安価に市場に提供できる。
【００１３】
また、本発明は、対向する二本のアーム部の両側には、断面コ字型形状の両裾部が回動自在に枢着され、該断面コ字型形状の天頂部の中央部位には前記ドリルが通過する開口部を形成するとともに回動自在に枢着された断面コ字型形状の天頂部が起立状態において歯科用ハンドピースのドリルにて穿設する孔の深さを決める位置決め具であり、該位置決め具の不使用時には上記彎曲状に立ち上がる剛性材からなる指の防護板の表面に当接する構成であるので、穿設する孔の深さをいちいち調整する必要が無く、確実に植立状態で同じ深さのダウエルピン孔を正確に穿設することができる。
【図面の簡単な説明】
【００１４】
【図１】本発明の１実施例を示す歯科用ダウエルピン穿孔用の簡易ドリルホルダーの斜視図を示し、上方に歯科用ハンドピースを、下方に孔開け用のドリル及び歯科用義歯石膏模型を配置した状態を示す。
【図２】本発明の１実施例を示す歯科用ダウエルピン穿孔用の簡易ドリルホルダーの斜視図を示し、上方の歯科用ハンドピースに装着したドリルで下方の歯科用義歯石膏模型にダウエルピン植設用の孔を穿設する状態を示す。
【図３】本発明の１実施例を示す歯科用ダウエルピン穿孔用の簡易ドリルホルダーの正面図を示し、歯科用ハンドピースに下方から本発明に係る簡易ドリルホルダーを通して該歯科用ハンドピースの先端部に挿し込んだドリルを歯科用ハンドピースのレバーで固定した状態を示す。
【図４】本発明の１実施例を示す歯科用ダウエルピン穿孔用の簡易ドリルホルダーの斜視図を示し、歯科用ハンドピースに下方から本発明に係る簡易ドリルホルダーを通して該歯科用ハンドピースの先端部に挿し込んだドリルを歯科用ハンドピースのレバーで固定した後、該ドリルで歯科用義歯石膏模型の裏面の所定箇所に歯科用ダウエルピンを植設する孔を穿設する状態を示す。
【図５】本発明の他の実施例を示す歯科用ダウエルピン穿孔用の簡易ドリルホルダーの斜視図を示し、上方に歯科用ハンドピースを、下方に孔開け用のドリル及び歯科用義歯石膏模型をそれぞれ配置した状態を示す。
【００１５】
【図６】本発明の他の実施例を示す斜視図であり、上方に位置する歯科用ハンドピースに装着したドリルで歯科用義歯石膏模型に歯科用ダウエルピンを植設する孔を開けている状態を示す。
【図７】本発明の他の実施例を示す正面図であり、歯科用ダウエルピンを植設する孔の深さを一定とするために使用する回動自在な位置決め具を起立させた状態を示す。
【図８】歯科用義歯石膏模型に歯科用ダウエルピンを植設した状態を示す斜視図である。
【図９】歯科用ハンドピースにドリルを装着して直接、歯科用義歯石膏模型に歯科用ダウエルピンを植設する孔を開けている従来例を示す斜視図である。
【発明を実施するための形態】
【００１６】
以下、本発明の一実施例を図面に基づいて説明する。
１は垂直に起立するステンレス鋼等の剛性材からなる帯状垂直板で、そのサイズは特に限定されないが本例では例えば幅２６ｍｍ、高さ２０ｍｍとした場合を示す。
要は剛性材料の板材で防錆効果があり、かつ小型で軽量であればよい。２は水平な帯状平板基板である。この水平な帯状平板基板２は、帯状垂直板１の下端から水平方向の片側に延びるステンレス鋼等の剛性材からなる水平な帯状平板基板である。本例では、ステンレス鋼の帯板を折り曲げ加工して一体に形成した場合を示したが、別途帯板を溶接や接着加工等により得たものでも良い。要は、帯状垂直板１の高さは後述する歯科用ダウエルピンＥを歯科用義歯テストピースあるいは歯科用石膏義歯模型Ｃの裏面平坦部の所定位置で垂直方向に植設できる深さに形成されていればよい。
【００１７】
３は帯状垂直板１の下端から帯状平板基板２の長手方向に向けて形成したドリル通過孔である。本例では幅１３ｍｍで長手方向に１５ｍｍの角型の形状のドリル通過孔３の場合を示したが、この角型形状に限定されるものではなく、円形その他の形状であっても良い。要はドリルＢがスムーズに通過できる孔形状で有ればよい。
【００１８】
４は帯状垂直板１の中央上部から帯状平板基板２に対し平行となるように前方に突出形成した対向する二本のアーム部である。この対向する二本のアーム部４は、本例では平面コ字型形状をしており、帯状垂直板１の中央上部壁面に平面コ字型形状を帯状垂直板１の裏面からボルト・ナット５で固定した場合を示す。６は対向する二本のアーム部４の先端部内側に挟持されたドリルガイドである。ドリルガイド６は、例えばモーター駆動の歯科用ハンドピースＡのドリルＢを垂直下方に案内するために垂直方向に穿設した孔６ａを備えている。なお、歯科用ハンドピースＡの回転駆動手段は歯科用義歯のテストピース又は歯科用石膏義歯模型Ｃに歯科用ダウエルピンＥを植設する歯科用ダウエルピン用孔Ｄを穿設できる能力を有すればモーター駆動に限定されない。
【００１９】
７は水平な帯状平板基板２上のドリルガイド６の近傍位置に設置した彎曲状に立ち上がる剛性板材からなる指の防護板である。指の防護板７は、水平な帯状平板基板２と同じ幅に形成されており、基部が水平な帯状平板基板２に接着剤や溶接等を介して固定され、ドリル通過孔３に向って徐々に彎曲上に立ち上がり斜め上方に向け、その終端はドリルガイド６の天面より若干低い高さに形成されている。しかし、指の防護板７の上部の高さがどの位置までかは左程重要なことではなく、要は指の防護板７に指を差し込むに支障のない開き角を有し、かつ防護板７に差し込んだ指で本器具を押えている時の歯科用ハンドピースＡによるドリルＢ作業中に安全に作業できることが肝要である。
【００２０】
次に、実施例１の使用法について、図１〜図４に基づいて説明する。
図１に示す歯科用ハンドピースＡの垂直方向に位置しているレバーａをレバーａ´の位置まで横に倒してドリルＢを把持する部分（図示せず）を緩める。
ドリルＢは図１及び図２に示すように、本発明に係る簡易ドリルホルダーの下方に位置する中心線上に位置させる。次に、そのドリルＢを前記中心線上に沿って上昇させ、ドリルＢの上端部をドリル通過孔３及びドリルガイド６の垂直方向に穿設した孔６ａを通過させ、歯科用ハンドピースＡの下端部内に形成したドリル差し込み部（図示せず）の奥まで挿し込んだ状態でレバーａを起立状態に復帰させることによりドリルＢが歯科用ハンドピースＡに把持固定される。次に、図３に示すように、歯科用ハンドピースＡを片方の手で持ちながらドリルガイド（図示せず）に沿って徐々に下げて行く。
【００２１】
図４に示すように、水平な帯状平板基板２の裏面に歯科用石膏義歯模型Ｃの裏面の平坦面を当接させる。予め、歯科用石膏義歯模型Ｃの裏面の平坦面の所望穿設箇所にマーク（図示せず）をしておき、そのマークした箇所で歯科用ハンドピースＡをもう片方の手で押し下げると、所望の深さの歯科用ダウエルピン用孔Ｄが穿設される。この作業中、本発明に係る簡易ドリルホルダーを押えている指は防護板７に挿し込んだ状態で押さえているために、ドリルＢの穿設作業中に指が危険に曝されることはなく安全に穿設作業を行うことができる。特に、ドリルＢはドリルガイド６の垂直方向に穿設した孔６ａに案内されて垂直方向に降下するので、この点からも安全であり、歯科用ダウエルピン用孔Ｄが確実な位置に所望する深さに穿設される。
【００２２】
次に、実施例２の使用法について、図５に基づいて説明する。
基本的な構成は実施例１と同一である。相違点は、実施例１において、歯科用ダウエルピンＥの歯科用ダウエルピン用孔Ｄの深さを常時、一定の深さとすることができる構成とした点である。すなわち、対向する二本のアーム部４の両側には、断面コ字型形状８の両裾部が回動自在に枢着される。
その断面コ字型形状８の天頂部の中央部位にはドリルＢが通過する開口部９を形成するとともに、回動自在に枢着された断面コ字型形状８の天頂部が起立状態において歯科用ハンドピースＡのドリルＢにて穿設する孔の深さを一定にする位置決め具１０である。孔の深さを一定にする位置決め具１０の不使用時には上記彎曲状に立ち上がる剛性材からなる指の防護板７の表面で支持させておく。
【００２３】
実施例２の構成上の相違する点の作用について図５〜図７に基づいて説明する。
図５に示すように、孔の深さを一定にする位置決め具１０の不使用の時は、孔の深さを一定にする位置決め具１０を起立状態から横方向に倒して先端の下部を指の防護板７で支持させておく。図６は孔の深さを一定にする位置決め具１０が不使用の時の場合を示し、その場合の作業要領は実施例１と同様である。図７は孔の深さを一定にする位置決め具１０を起立状態にした場合を示す。
この起立状態の場合は、歯科用ハンドピースＡをドリルガイド６に沿って垂直に下げて行くと歯科用ハンドピースＡの下端部が孔の深さを一定にする位置決め具１０の天面で支持した時に、歯科用ダウエルピン用孔Ｄの深さが常に一定の深さとなる。これにより、熟練を要することなく歯科技工士、歯科医は正確で安定した歯科用ダウエルピン用孔Ｄを垂直方向に正確に形成できる。
【産業上の利用可能性】
【００２４】
本発明は、歯科医療分野において、市販の大型装置に比べ安価で、確実で正確な歯科用ダウエルピン用孔を垂直方向に正確に形成できるので、歯科医療分野における各種の産業に多大の貢献をすることができる。
【符号の説明】
【００２５】
１        帯状垂直板
２        水平な帯状平板基板
３        ドリル通過孔
４        対向する二本のアーム部
５        ボルト・ナット
６        ドリルガイド
６ａ      垂直方向に穿設した孔
７        指の防護板
８        断面コ字型形状
９        開口部
１０      孔の深さを一定にする位置決め具
Ａ        歯科用ハンドピ−ス
ａ，ａ´  レバー
Ｂ        ドリル
Ｃ        歯科用石膏義歯模型
Ｄ        歯科用ダウエルピン用孔
Ｅ        歯科用ダウエルピン
【図１】
0005628887.tif 000002
【図２】
0005628887.tif 000003
【図３】
0005628887.tif 000004
【図４】
0005628887.tif 000005
【図５】
0005628887.tif 000006
【図６】
0005628887.tif 000007
【図７】
0005628887.tif 000008
【図８】
0005628887.tif 000009
【図９】
0005628887.tif 000010